(57)【要約】【課題】薄肉化した場合でも、容器本体から容易に外すことができる蓋体を提供すること。【解決手段】蓋体３は、開口２Ａの辺縁を形成する立上側壁２４が設けられた容器本体２に着脱自在に取り付けられ、開口２Ａを覆う樹脂製の蓋体３であって、容器本体２への取付時に立上側壁２４の外側に位置する四角枠状の垂下側壁３４を備え、垂下側壁３４は、四隅に設けられた角部３４Ａと、開口２Ａを挟んで対向しかつ外側から把持される側の一対の把持側辺部３４Ｂと、開口２Ａを挟みかつ把持側辺部３４Ｂに対して角度をなして対向する一対の非把持側辺部３４Ｃとを備え、角部３４Ａは、容器本体２に設けられた本体側係合部２４Ｄと係脱する蓋体側係合部３４Ｄを備え、把持側辺部３４Ｂは、非把持側辺部３４Ｃよりも厚い厚肉部３４Ｅを備えている。【選択図】図１
2017178390.tif 000002
【特許請求の範囲】
【請求項１】
開口の辺縁を形成する立上側壁が設けられた容器本体に着脱自在に取り付けられ、前記開口を覆う樹脂製の蓋体であって、
前記容器本体への取付時に前記立上側壁の外側に位置する四角枠状の垂下側壁を備え、
前記垂下側壁は、
四隅に設けられた角部と、
前記開口を挟んで対向しかつ外側から把持される側の一対の把持側辺部と、
前記開口を挟みかつ前記把持側辺部に対して角度をなして対向する一対の非把持側辺部とを備え、
前記角部は、前記容器本体に設けられた本体側係合部と係脱する蓋体側係合部を備え、
前記把持側辺部は、前記非把持側辺部よりも厚い厚肉部を備えていることを特徴とする蓋体。
【請求項２】
請求項１に記載の蓋体において、
前記厚肉部は、外側に突出するとともに、前記垂下側壁の周方向に延びる線状に形成されていることをと特徴とする蓋体。
【請求項３】
請求項２に記載の蓋体において、
前記厚肉部は、互いに平行な複数の線状に形成されていることを特徴とする蓋体。
【請求項４】
請求項１から請求項３のいずれか１項に記載の蓋体において、
前記厚肉部は、前記垂下側壁の周方向の中央部に設けられていることを特徴とする蓋体。
【発明の詳細な説明】
【技術分野】
【０００１】
本発明は、蓋体に関する。
【背景技術】
【０００２】
従来、バターやマーガリン、ジャム、ヨーグルト等の食品を収容する平面視四角形状の樹脂製容器が知られている。このような容器は、食品が充填される有底の容器本体と、容器本体の開口部の外周部に係脱して当該開口部を開閉可能な有天の蓋体とで構成される（例えば、特許文献１、２参照）。
【０００３】
容器本体および蓋体の係脱構造として、容器本体の外周部のコーナー部分には、外側に向けて突出した容器本体側の係合爪部が成形され、蓋体の内周部のコーナー部分には、内側に向けて突出した蓋体側の係合爪部が成形されることが一般的である。そのような係合爪部は、周方向に沿って所定の長さで設けられる。
【０００４】
蓋体を容器本体から外して開口部を開放する場合、容器本体の長辺側を把持しつつ、蓋体の長辺側を外側から把持し、容器本体ごと内側に力を加える。そうすると、蓋体の長辺側がゆがむと同時に短辺側が外側に広がるように変形し、蓋体のコーナー部分が容器本体のコーナー部分から外側に離間して、蓋体および容器本体の互いの係合爪部の係合が解除される。
【先行技術文献】
【特許文献】
【０００５】
【特許文献１】特許第５５４３７４９号公報
【特許文献２】特開２０１３−５２９１３号公報
【発明の概要】
【発明が解決しようとする課題】
【０００６】
近年、環境への配慮等の理由により、容器についても樹脂使用料を削減した薄肉化が進められている。
しかしながら、蓋体が薄肉化されると、その剛性は低くなり、蓋体を容器本体から外す際に、蓋体をゆがませようとして加えた力は、高い柔性のために長辺側のひずみに集中し、短辺側のゆがみが小さくなってしまう。このため、蓋体および容器本体の互いの係合が解除されにくくなってしまい、蓋体が外しにくくなるという課題がある。
【０００７】
本発明の目的は、薄肉化した場合でも、容器本体から容易に外すことができる蓋体を提供することにある。
【課題を解決するための手段】
【０００８】
本発明の蓋体は、開口の辺縁を形成する立上側壁が設けられた容器本体に着脱自在に取り付けられ、前記開口を覆う樹脂製の蓋体であって、前記容器本体への取付時に前記立上側壁の外側に位置する四角枠状の垂下側壁を備え、前記垂下側壁は、四隅に設けられた角部と、前記開口を挟んで対向しかつ外側から把持される側の一対の把持側辺部と、前記開口を挟みかつ前記把持側辺部に対して角度をなして対向する一対の非把持側辺部とを備え、前記角部は、前記容器本体に設けられた本体側係合部と係脱する蓋体側係合部を備え、前記把持側辺部は、前記非把持側辺部よりも厚い厚肉部を備えていることを特徴とする。
【０００９】
本発明によれば、蓋体の把持側辺部が厚肉部を備えているため、把持側辺部の剛性を高くすることができる。このため、蓋体を容器本体から外す動作において蓋体の把持側辺部に力を加えた際、当該把持側辺部のみが変形することを防止できる。これにより、蓋体の非把持側辺部を確実に変形でき、蓋体および容器本体の互いの係合が解除されにくくなってしまうことを防止できるので、薄肉化した場合でも、蓋体を容器本体から容易に外すことができる。
【００１０】
本発明の蓋体において、前記厚肉部は、外側に突出するとともに、前記垂下側壁の周方向に延びる線状に形成されていることが好ましい。
【００１１】
本発明によれば、厚肉部が周方向に延びる線状に形成されているため、厚肉部の面積を抑えることができる。このため、樹脂使用料の削減を図りながら、蓋体の取り外し性を向上できる。
【００１２】
本発明の蓋体において、前記厚肉部は、互いに平行な複数の線状に形成されていることが好ましい。
【００１３】
本発明によれば、厚肉部が互いに平行な複数の線状に形成されているため、厚肉部を凹凸形状にすることができる。このため、蓋体の把持側辺部を把持する際に滑りを防止でき、蓋体を確実に把持することができる。
また、厚肉部が凹凸形状を有するため、把持側辺部を触覚によって認識することができる。
【００１４】
本発明の蓋体において、前記厚肉部は、前記垂下側壁の周方向の中央部に設けられていることが好ましい。
【００１５】
本発明によれば、厚肉部が周方向の中央部に設けられているため、蓋体を把持した際に変形し易い把持側辺部の中央部の剛性を高めることができる。このため、蓋体を外す際に加えた力が蓋体の把持側辺部に集中することを確実に防止でき、蓋体の取り外し性をより向上できる。
【図面の簡単な説明】
【００１６】
【図１】本発明の一実施形態に係る容器の全体を示す分解斜視図。
【図２】蓋体の側面図。
【図３】図２のIII−III断面図。
【発明を実施するための形態】
【００１７】
以下、図面に基づいて本発明の一実施形態について説明する。
図１は、本実施形態に係る容器１の全体を示す分解斜視図である。図２および図３は、蓋体３の側面図および断面図である。
【００１８】
［容器］
図１において、容器１は、例えばバターやマーガリンなどの食品を収容するものであり、樹脂の射出成型品である。容器１は、上部に開口２Ａが形成された有底の容器本体２と、容器本体２に着脱自在に取り付けられ、開口２Ａを覆う有天の蓋体３とを備えている。
【００１９】
［容器本体］
容器本体２は、底面部２１と、底面部２１の周縁から上方に立設された側面部２２と、側面部２２の上端縁に周方向に連続して設けられ、当該上端縁から外部に向けて水平に延出した第１鍔部２３と、第１鍔部２３の先端縁から上下方向に立設され、開口２Ａの辺縁を形成する略四角枠状の立上側壁２４と、立上側壁２４の下端縁に周方向に連続して設けられ、当該下端縁から外部に向けて水平に延出した第２鍔部２５とを備えている。
【００２０】
側面部２２は、平面視にて略長方形枠状とされている。側面部２２は、開口２Ａを挟んで対向しかつ外側から把持される側の一対の把持側面部としての長辺側面部２２Ａと、開口２Ａを挟みかつ長辺側面部２２Ａに対して略直角をなして対向する一対の非把持側面部としての短辺側面部２２Ｂとを備えている。
長辺側面部２２Ａは、内側に窪んだ曲面部２２Ｃを備えている。曲面部２２Ｃは、長辺側面部２２Ａの周方向の略中央部に設けられ、周方向に沿って内側に凸の湾曲面形状とされている。すなわち、曲面部２２Ｃは、横断面視で周方向に沿って内側に凸状の湾曲形状を有し、当該湾曲形状が長辺側面部２２Ａの上端から下端（第１鍔部２３から底面部２１）にかけて形成されている。
【００２１】
立上側壁２４は、平面視にて略長方形枠状とされている。この立上側壁２４は、四隅に設けられた円弧状の角部としての本体側角部２４Ａと、開口２Ａを挟んで対向しかつ外側から把持される側の一対の本体側長辺部２４Ｂと、開口２Ａを挟みかつ本体側長辺部２４Ｂに対して略直角をなして対向する一対の本体側短辺部２４Ｃとを備えている。
本体側角部２４Ａは、外側に突出するとともに、周方向に所定の長さを有した１条の本体側係合部２４Ｄを備えている。この本体側係合部２４Ｄは、成型により設けられている。
【００２２】
第２鍔部２５は、本体側角部２４Ａ、本体側長辺部２４Ｂ、および本体側短辺部２４Ｃにわたって連続して設けられている。このような第２鍔部２５は、蓋体３を支持する部位である。図１では、第２鍔部２５は、本体側短辺部２４Ｃおよびその両側の本体側角部２４Ａにかけては大きく延設され、本体側長辺部２４Ｂに対応した位置では蓋体３の厚さ程度に小さく延設されて描かれているが、例えば周方向に沿って略同じ延設長さで形成される場合もある。
【００２３】
［蓋体］
蓋体３は、図２および図３にも示すように、天面部３１と、天面部３１の周縁から下方に垂設された略四角枠状の側面部３２と、側面部３２の下端縁に周方向に連続して設けられ、当該下端縁から外部に向けて水平に僅かに延出した第１鍔部３３と、第１鍔部３３の先端縁から垂下され、容器本体２への取付時に立上側壁２４の外側に位置する略四角枠状の垂下側壁３４と、垂下側壁３４の下端縁に周方向に連続して設けられ、当該下端縁から外部に向けて水平に僅かに延出した第２鍔部３５とを備えている。
【００２４】
垂下側壁３４は、平面視にて略長方形枠状とされている。この垂下側壁３４は、四隅に設けられた円弧状の蓋体側角部３４Ａと、容器本体２の開口２Ａを挟んで対向しかつ外側から把持される側の一対の把持側辺部としての蓋体側長辺部３４Ｂと、開口２Ａを挟みかつ蓋体側長辺部３４Ｂに対して略直角をなして対向する一対の非把持側辺部としての蓋体側短辺部３４Ｃとを備えている。
蓋体側角部３４Ａは、内側に突出するとともに、周方向に所定の長さを有して本体側係合部２４Ｄと係脱する１条の蓋体側係合部３４Ｄを備えている。この蓋体側係合部３４Ｄは、成型により設けられている。
蓋体側長辺部３４Ｂは、蓋体側短辺部３４Ｃよりも厚い厚肉部３４Ｅを備えている。厚肉部３４Ｅは、蓋体側長辺部３４Ｂの周方向の中央部に設けられ、蓋体側長辺部３４Ｂの外側に突出するとともに、蓋体側長辺部３４Ｂの周方向に所定の長さを有して延びる互いに平行な複数の線状に形成されている。厚肉部３４Ｅの周方向の長さは、少なくとも蓋体側長辺部３４Ｂの高さ寸法よりも大きく設定されている。この厚肉部３４Ｅは、射出成型により設けられている。なお、厚肉部３４Ｅは、容器１を成形する際の金型からの離型や、ヒケなどの成形不良がない範囲とする。
【００２５】
第２鍔部３５は、蓋体側角部３４Ａ、蓋体側長辺部３４Ｂ、および蓋体側短辺部３４Ｃにわたて連続して設けられている。このような第２鍔部３５が容器本体２の第２鍔部２５に当接され、蓋体３が支持される。
【００２６】
［蓋体の取り外し］
蓋体３を容器本体２から外して開口２Ａを開放する場合、蓋体３の対向する蓋体側長辺部３４Ｂを外側から把持し、蓋体３を内側にゆがませて変形させる（図１中の白抜き矢印および２点鎖線参照）。この際、厚肉部３４Ｅが殆ど変形しないため、蓋体３に加えた力は、厚肉部３４Ｅで吸収されず、蓋体側長辺部３４Ｂから蓋体側短辺部３４Ｃに伝えられる。そうすると、蓋体３の蓋体側短辺部３４Ｃが外側に広がるようにゆがみ、蓋体３の蓋体側角部３４Ａが容器本体２の本体側角部２４Ａから外側に離間し、蓋体３および容器本体２の互いの係合部２４Ｄ、３４Ｄの係合が解除される。
【００２７】
［実施形態の効果］
本実施形態によれば、蓋体３の蓋体側長辺部３４Ｂが厚肉部３４Ｅを備えているため、蓋体側長辺部３４Ｂの剛性を高くすることができる。このため、蓋体３を容器本体２から外す動作において蓋体３の蓋体側長辺部３４Ｂに力を加えた際、当該蓋体側長辺部３４Ｂのみが変形することを防止できる。これにより、蓋体３の蓋体側長辺部３４Ｂを確実に変形でき、蓋体３および容器本体２の互いの係合が解除されにくくなってしまうことを防止できるので、薄肉化した場合でも、蓋体３を容器本体２から容易に外すことができる。
【００２８】
また、厚肉部３４Ｅが周方向に延びる線状に形成されているため、厚肉部３４Ｅの面積を抑えることができる。このため、樹脂使用料の削減を図りながら、蓋体３の取り外し性を向上できる。
【００２９】
また、厚肉部３４Ｅが互いに平行な複数の線状に形成されているため、厚肉部３４Ｅを凹凸形状にすることができる。このため、蓋体３の蓋体側長辺部３４Ｂを把持する際に滑りを防止でき、蓋体３を確実に把持することができる。
また、厚肉部３４Ｅが凹凸形状を有するため、蓋体側長辺部３４Ｂを触覚によって認識することができる。
【００３０】
また、厚肉部３４Ｅが周方向の中央部に設けられているため、蓋体３を把持した際に変形し易い蓋体側長辺部３４Ｂの中央部の剛性を高めることができる。このため、蓋体３を外す際に加えた力が蓋体３の蓋体側長辺部３４Ｂに集中することを確実に防止でき、蓋体３の取り外し性をより向上できる。なお、厚肉部３４Ｅは、蓋体側係合部３４Ｄと重ならない範囲に設けることが好ましい。蓋体側係合部３４Ｄに厚肉部３４Ｅが重なると、かえって、蓋体側角部３４Ａと本体側角部２４Ａとの係合が解除されにくくなってしまい、蓋体３が外しにくくなる。
【００３１】
［変形例］
本発明は、前記実施形態に限定されるものではなく、本発明の目的を達成できる範囲での変更等は、本発明に含まれる。
例えば、容器本体２は、複数の曲面部２２Ｃを備えてもよい。この場合、曲面部２２Ｃは、長辺側面部２２Ａの中央部を挟んだ両側に設けられてもよい。また、曲面部２２Ｃは、側面部２２に３つ以上設けられてもよいし、なくてもよい。
【００３２】
厚肉部３４Ｅは、１本の線状に形成されてもよいし、線状でなく帯状に形成されてもよい。また、厚肉部３４Ｅは、蓋体側長辺部３４Ｂの周方向に複数並んで設けられてもよいし、蓋体側長辺部３４Ｂの周方向全体に連続して設けられてもよいし、蓋体側長辺部３４Ｂの全面に設けられてもよい。
厚肉部３４Ｅは、シボ加工によって設けてられてもよい。
【００３３】
本体側係合部２４Ｄや蓋体側係合部３４Ｄは、本体側角部２４Ａや蓋体側角部３４Ａに複数設けられていてもよい。
【００３４】
側面部２２、立上側壁２４、垂下側壁３４は、平面視で長方形枠状ではなく、正方形枠状であってもよい。また、長方形枠状とされた場合でも、把持される側を短辺側面部２２Ｂ、本体側短辺部２４Ｃ、蓋体側短辺部３４Ｃとし、非把持側を長辺側面部２２Ａ、本体側長辺部２４Ｂ、蓋体側長辺部３４Ｂとしてもよい。
【００３５】
本発明は、バターやマーガリン等の食品を収容する容器として好適に利用できる。
【符号の説明】
【００３６】
１…容器、２…容器本体、２Ａ…開口、３…蓋体、２１…底面部、２２…側面部、２２Ａ…長辺側面部、２２Ｂ…短辺側面部、２２Ｃ…曲面部、２４…立上側壁、２４Ｄ…本体側係合部、３４…垂下側壁、３４Ａ…蓋体側角部（角部）、３４Ｂ…蓋体側長辺部（把持側辺部）、３４Ｃ…蓋体側短辺部（非把持側辺部）、３４Ｄ…蓋体側係合部、３４Ｅ…厚肉部。
【図１】
2017178390.tif 000003
【図２】
2017178390.tif 000004
【図３】
2017178390.tif 000005